(57)【要約】  特に可動な家具部材（２）のためのヒンジであって、家具部材（２，８）に固定された少なくとも２つのヒンジ連結されたフィットメント部（３，４）、すなわちヒンジアームおよびヒンジカップと、ヒンジの動きを減衰する減衰装置（５）と、この減衰装置（５）の駆動要素（７）が減衰動作の後に次ぎの減衰ストロークのための準備位置に移動することができるようにする復帰機構（６）と、を備えており、前記減衰装置（５）および前記復帰機構（６）は、前記ヒンジカップ（４ａ）上に別個の構成ユニットとして配置されており、前記減衰装置（５）は、これ自体に復帰機構を有さず、ヒンジカップ（４ａ）の一方の側壁に配置されており、前記復帰機構（６）はヒンジカップ（４ａ）の他方の側壁に配置されていることを特徴とするヒンジ。【選択図】図４
2011513605.tif 000002
【特許請求の範囲】
【請求項１】
特に可動な家具部材（２）のためのヒンジ（１）であって、
前記家具部材（８，２）に固定された少なくとも２つのヒンジ連結されたフィットメント部（３，４）、すなわちヒンジアームおよびヒンジカップと、
ヒンジの動きを減衰する減衰装置（５）と、
この減衰装置（５）の駆動要素（７）が減衰動作の後に次の減衰ストロークのための準備位置に移動することができるようにする復帰機構（６）と、を備えており、
前記減衰装置（５）および前記復帰機構（６）は、前記ヒンジカップ（４ａ）上に別個の構成ユニットとして配置されており、前記減衰装置（５）は、これ自体に復帰機構を有さず、前記ヒンジカップ（４ａ）の一方の側壁に配置されており、前記復帰機構（６）は前記ヒンジカップ（４ａ）の他方の側壁に配置されていることを特徴とするヒンジ。
【請求項２】
前記減衰装置（５）は、減衰ストロークにおいて互いに相対的に動くように取り付けられた少なくとも２つの減衰部材（２１，２２）を備えており、前記駆動要素（７）は前記２つの減衰部材（２１，２２）の１つに作動的に連結されていることを特徴とする請求項１に記載のヒンジ。
【請求項３】
好ましくは、流体である減衰媒体が、前記減衰部材（２１，２２）間に配置されていることを特徴とする請求項２に記載のヒンジ。
【請求項４】
前記駆動要素（７）は、減衰ストロークの間もしくは復帰ストロークの間またはこれらの両方の間に回転可能となるように取り付けられていることを特徴とする請求項１から３のいずれか一項に記載のヒンジ。
【請求項５】
当該ヒンジ（１）の閉移動の間、前記駆動要素（７）は前記フィットメント部（３，４）の一方によって、あるいは前記フィットメント部（３，４）の間に配置されたヒンジレバー（１０ａ，１０ｂ）によって作動されることを特徴とする請求項１から４のいずれか一項に記載のヒンジ。
【請求項６】
前記減衰装置（５）の前記駆動要素（７）は、前記復帰機構（６）の復帰要素（１５）に連結され、あるいは、取り外し可能に連結されていることを特徴とする請求項１から５のいずれか一項に記載のヒンジ。
【請求項７】
前記復帰機構（６）の駆動要素（７）は、減衰ストロークもしくは復帰ストロークまたはこれらの両方の間に回転可能となるように取り付けられていることを特徴とする請求項１から６のいずれか一項に記載のヒンジ。
【請求項８】
当該ヒンジ（１）の閉移動の間、前記復帰要素（１５）によってバネ装置（１８）に張力が掛けられ、減衰動作の後、前記復帰要素（１５）は、前記バネ装置（１８）によって、好ましくは逆方向へ動き、次の減衰ストロークのための準備位置に移動されることを特徴とする請求項６または７に記載のヒンジ。
【請求項９】
前記バネ装置（１８）は少なくとも１つのトーションバネを備えることを特徴とする請求項８に記載のヒンジ。
【請求項１０】
前記バネ装置（１８）は、前記復帰機構（６）の復帰ハウジング（１９）と前記復帰要素（１５）との間で動作することを特徴とする請求項８または９に記載のヒンジ。
【請求項１１】
前記復帰要素（１５）は前記復帰ハウジング（１９）に対して枢動可能に取り付けられていることを特徴とする請求項１０に記載のヒンジ。
【請求項１２】
前記復帰ハウジング（１９）は前記フィットメント部（３，４）の一方に配置され、好ましくはヒンジカップ（４ａ）に配置されていることを特徴とする請求項１０または１１に記載のヒンジ。
【請求項１３】
前記復帰ハウジング（１９）は、前記ヒンジカップ（４ａ）の側部外壁に取り付けられており、その取付け位置は前記ヒンジカップ（４ａ）の固定フランジ（１１）の下にあることを特徴とする請求項１２に記載のヒンジ。
【請求項１４】
前記減衰装置（５）は、ダンパーハウジング（１３）を有しており、このダンパーハウジング（１３）は、前記復帰機構（６）の前記復帰ハウジング（１９）と同じフィットメント部（３，４）に配置されており、好ましくはヒンジカップ（４ａ）に配置されていることを特徴とする請求項１から１３のいずれか一項に記載のヒンジ。
【請求項１５】
前記ダンパーハウジング（１３）は、前記ヒンジカップ（４ａ）の側部外壁に取り付けられており、その取付け位置は前記ヒンジカップ（４ａ）の固定フランジ（１１）の下にあることを特徴とする請求項１４に記載のヒンジ。
【請求項１６】
前記ダンパーハウジング（１３）は前記ヒンジカップ（４ａ）の一方の側壁に配置されており、前記復帰ハウジング（１９）は前記ヒンジカップ（４ａ）の他方の側壁に配置されていることを特徴とする請求項１５に記載のヒンジ。
【発明の詳細な説明】
【技術分野】
【０００１】
本発明は、特に可動な家具部材のためのヒンジであって、家具部材に固定された少なくとも２つのヒンジ連結されたフィットメント部（取付け部）、すなわちヒンジアームおよびヒンジカップと、ヒンジの動きを減衰する減衰装置と、この減衰装置の駆動要素が減衰動作の後に次の減衰ストロークのための準備位置に移動することができるようにする復帰機構と、を備えており、前記減衰装置および前記復帰機構は、前記ヒンジカップ上に別個の構成（構造）ユニットとして配置されている、ヒンジに関するものである。
【背景技術】
【０００２】
従来技術において、減衰ストロークが終わると駆動要素またはダンパーが次の減衰ストロークのために開始位置に移動するように復帰ストロークを開始するための比較的複雑で高価なバルブ状の構成を備えた家具が知られている。これらのバルブ状構成によって、減衰媒体のリターンフローを実現し、減衰部材の復元動作を実現する。概して、これらのバルブ状構成は、その構成および製造が非常に複雑であり、非常に小さな誤差のみを容認するものである。可動家具部材のための係る減衰装置の例としては、本願出願人による特許文献１が知られている。この先行技術文献は、減衰ストロークの方向に狭くなっている間隙が減衰ベーンとダンパーハウジングの内壁との間で自由となっており、バイパス開口部として機能する。ダンパーの復帰動作は減衰動作が終わると逆方向に傾斜し、減衰ベーンの復帰のために流通断面を増大させることによって達成される。
【先行技術文献】
【特許文献】
【０００３】
【特許文献１】国際公開公報ＷＯ０３／０８７５１２Ａ１号
【発明の概要】
【発明が解決しようとする課題】
【０００４】
本発明の目的は、信頼性の高い減衰動作を行い、構造的にシンプルであり、かつ減衰（ダンピング）装置の駆動要素を適切に復元する（初期状態に復帰させる）ために効果的な解決策を有する、本明細書のはじめに記載した一般的なヒンジを提供することである。
【課題を解決するための手段】
【０００５】
本発明によると、減衰装置はこれ自体に復帰機構を有さずヒンジカップの一方の側壁に配置されており、復帰機構はヒンジカップの他方の側壁に配置されている。
【０００６】
特許文献１は、減衰装置を有しており、減衰機能および復帰機能は、共通の構造ユニットにおいてフリーホイール組立体によって達成される。上記解決策を更に研究したところ、減衰機能および復帰機能を空間的に分離することが有利であることが分かった。適切な設計において、基本的に各ヒンジに対して一つの減衰装置が適切な減衰動作を提供するのに十分であることが分かった。減衰機能と復帰機能の分離によって、各構造ユニットが高い安定性および信頼性を有して設計することができ、よって故障しにくいという利点が提供される。
【０００７】
本発明の実施形態によると、駆動要素を減衰ストロークの間および／または復帰ストロークの間に枢動可能となるように配置することができる。これに関して、ヒンジの閉動作の間、駆動要素がヒンジのフィットメント部（取付け部、ｆｉｔｍｅｎｔ  ｐｏｒｔｉｏｎ）によって、あるいはフィットメント部間に配置されたヒンジレバーによって作動される。構造的にシンプルな設計構造において、ヒンジは、ヒンジアームと、このヒンジアームに直接的もしくは間接的に枢動可能に連結されたヒンジカップとを備えている。駆動要素がヒンジカップ内に配置されており、予め決められた範囲内で移動することができる。
【０００８】
本発明の実施形態において、減衰装置の駆動要素は、復帰機構の復帰要素に連結され、あるいは取り外し可能に連結されている。これに関して、駆動要素がスナップ結合（ｓｎａｐ  ｃｏｎｎｅｃｔｉｏｎ）によって復帰要素に取り外し可能に連結され、駆動要素が復帰要素と共に動作中に分離不能である構造ユニットを構成することが望ましい。言い換えると、減衰動作中、駆動要素に作用するモーメントも同時に復帰要素に伝達される。反対に、減衰動作の後に駆動要素が次の減衰ストロークのための位置に再び戻ることができるように、復帰ストロークにおいて復帰要素に作用するモーメントも駆動要素に伝達される。この構成によって、駆動要素の片側の負荷が実質的に除外されるように駆動要素上の横方向モーメントを回避する。
【０００９】
これに関して、ヒンジの閉移動の間、復帰要素によってバネ装置に張力が掛けられ、減衰動作の後、復帰要素は、バネ装置によって、好ましくは逆方向へ動き、次ぎの減衰ストロークのための準備位置に移動される。
【００１０】
好適な実施形態において、減衰装置はハウジング（以下、ダンパーハウジング）を備えており、復帰機構もハウジング（以下、復帰ハウジング）を備えており、これらのダンパーハウジングおよび復帰ハウジングは、ヒンジカップの側部外壁に取り付けられており、ヒンジカップの固定フランジの下にある。詳細には、ダンパーハウジングはヒンジカップの一方の側壁に配置されており、復帰ハウジングはヒンジカップの他方の側壁に配置されている。駆動要素は、ヒンジの蝶板軸に実質的に並行に走る枢軸にてヒンジカップ内に、あるいはヒンジカップ上に配置される。駆動要素の枢軸は、減衰装置の枢軸と同軸上に走り、および／または復帰要素の枢軸と同軸上に走る。
【図面の簡単な説明】
【００１１】
【図１】図１は、取り付け位置にある本発明のヒンジの斜視図である。
【図２ａ】図２ａは、組み立てられた状態のヒンジカップを示している。
【図２ｂ】図２ｂは、分解された状態のヒンジを下方から見た斜視図である。
【図３ａ】図３ａは、ヒンジの断面図である。
【図３ｂ】図３ｂは、図３ａの面Ａ−Ａに沿った拡大断面図である。
【図４】図４は、分解された状態のヒンジの前面斜視図である。
【図５】図５は、組み立てられた状態のヒンジを下方向から見た斜視図を示す。
【発明を実施するための形態】
【００１２】
本発明の更なる詳細および利点が以下に記載される。
【００１３】
図１は、取り付け位置にある符号１によって特定されるヒンジの斜視図である。ヒンジ１は、家具の枠（カーカス）８にネジ止めされた従来の態様のベースプレート９を備えており、この上にヒンジアームの形態である第１のフィットメント部３が留められている。更に、ヒンジ１は、内側ヒンジレバー１０ｂと、外側ヒンジレバー１０ａとを備えており、これらはヒンジカップ４ａを有する第２のフィットメント部４を、固定された第１のフィットメント部３に連結するものである。内側ヒンジレバー１０ｂはその屈曲した構成のため、図では隠れている。ヒンジカップ４ａを入れるための孔（見えない）が公知の態様で家具可動部材２上に形成されている。更に固定フランジ１１がヒンジカップ４ａを固定するために設置される。ヒンジカップ４ａ内に枢動可能に搭載された所定の範囲で可動な駆動要素７が示されている。この駆動要素７はヒンジ１の所定の閉位置から外側ヒンジレバー１０ａによって作動される。駆動要素７がヒンジカップ４ａ内に押圧されることによって、減衰装置（本明細書では詳細を省く）が作動され、これによりヒンジ動作をヒンジ１の完全閉位置に向かう最後の閉領域において減衰することができる。
【００１４】
図２ａは、ヒンジカップ４ａを有する第２のフィットメント部４と、ヒンジカップ４ａ内に回転可能に搭載された駆動要素７に作用する外側ヒンジレバー１０ａとを示している。回転式ダンパーの形態である減衰装置５が示されており、この減衰装置５は、駆動要素７に作動的に連結されており、ヒンジカップ４ａの固定フランジ１１の下方、ヒンジカップ４ａの側部外壁に固定されている。
【００１５】
図２ｂは分解された状態のヒンジ１の下方からの斜視図である。ヒンジアームの形態である第１のフィットメント部３が示されており、この第１のフィットメント部３は図１に示されたベースプレート９に係止することができ、家具枠８に固定される。ヒンジレバー１０ａおよび曲折した内側ヒンジレバー１０ｂがヒンジアーム３に取り付けられ、ヒンジピン１２ａ，１２ｂによってヒンジカップ４ａに対して間着される。更に、回転ダンパーの形態である減衰装置５が示されており、この減衰装置５は、ダンパーハウジング１３と、回転軸１４に取り付けられた枢動レバーの形態の駆動要素７とを備えている。ダンパーハウジング１３はヒンジカップ４ａの一方の側部外壁に固定される。復帰機構６のために、減衰装置５とは別個の構造ユニットがヒンジカップ４ａの他方の側部外壁に取り付けられる。復帰機構６は、減衰動作の後、次の減衰ストロークのために減衰装置５の駆動要素７を移動する。この目的のために、復帰機構６は、取り付け位置において減衰装置５の駆動要素７の自由端に連結された回転可能な復帰要素１５を備える。望ましくは、駆動要素７を復帰要素１５に固定するためにスナップ結合が用いられる。復帰機構６をヒンジカップ４ａに取り付けるために軸部１６が設けられ、組み立てられた状態のヒンジ１においてこの軸部１６はヒンジカップ４ａ上に設けられた突起部でシャフトホール１７内に係合する。これに関連するものとしては、図示された実施形態においてトーションバネ（ねじりバネ）の形態であり、復帰要素１５のため（よって駆動要素７のため）の戻しバネとして機能する、バネ装置１８である。トーションバネの形態であるバネ装置１８は、復帰要素１５にある取付部１５ａと係合する自由端１８ａを備える。バネ装置１８の第２の自由端１８ｂは固定した復帰ハウジング１９で固定される。よって、減衰ストロークにおいて、減衰装置５の駆動要素７は外側ヒンジレバー１０ａによってヒンジカップ４ａの内方に押圧され、これにより復帰機構６の復帰要素１５も軸部１６を中心に回転する。よってバネ装置１８もヒンジ１の閉移動の過程において張力が掛けられる。駆動要素７がヒンジカップ４の内方に完全に押圧されると、バネ装置１８も最大限に負荷される。駆動要素７が外側ヒンジレバー１０ａによって再び負荷から解放されると、減衰動作の後に駆動要素７が次ぎの減衰ストロークのための位置に再び戻ることができるように、復帰要素１５（および駆動要素７）がバネ装置１８内に蓄積されたエネルギーによって再びヒンジカップ４ａの外方へ付勢される。
【００１６】
図３ａは組み立てられた状態のヒンジ１の断面図を示している。ヒンジアームの形態の第１のフィットメント部３と、２つのヒンジレバー１０ａ、１０ｂによって第１のフィットメント部３に枢動可能に連結されたヒンジカップ４ａの形態の第２のフィットメント部４が示されている。復帰機構６の復帰ハウジング１９はヒンジカップ４ａの側部外壁に取り付けられている。図３ｂは図３ａの矢印Ａ−Ａに沿った拡大断面図である。ヒンジカップ４ａの固定フランジ１１によって上部が閉じられており、復帰機構６はヒンジカップ４ａの片側に配置され、減衰装置５はこれに対向して配置されている。復帰機構６は、固定された復帰ハウジング１９と、軸部１６に対して回転可能に取り付けられた復帰要素１５とを備えており、復帰要素１５を戻す動作を生じさせるためのバネ装置１８が示されている。駆動要素７と復帰要素１５との間の結合も示されている。ヒンジカップ４ａの他方の側部に取り付けられた減衰装置５は中心ピン２０を備えており、この中心ピン２０はダンパーハウジング１３と共にヒンジカップ４ａに回転不能に固定されている。駆動要素７は、この駆動要素７がヒンジカップ４ａ内に押圧される場合に第１の減衰部材２１が第２の減衰部材２２に対して回転するように、回転可能な減衰部材２１に作動的に連結されている。第１の減衰部材２１と第２の減衰部材２２との間には、これらの間で減衰媒体として作用する液体を収容するための環状の自由空間２３が設けられている。この構成において、剪断力（ｓｈｅａｒｉｎｇ  ｆｏｒｃｅ）が自由空間２３において減衰媒体に作用し、減衰動作を生じさせる。図示された減衰装置は例示であることに留意すべきである。基本的に、当業者は、本発明の思想に関して適切かつ公知の全ての減衰装置５を用いることができる。
【００１７】
図４は図２ｂに類似する分解図におけるヒンジ１を上方から見た斜視図を示す。ここでは、復帰要素１５のラッチ部１５ｃが特に示されており、これにより復帰要素１５と減衰装置５の減衰要素７との間のスナップ結合をなすことが可能となる。
【００１８】
図５はヒンジ１を下方から見た斜視図であり、減衰装置５と復帰機構６の２つの別々の構造ユニットを示している。ヒンジカップ４ａは、可動家具部材２に設けられた円形孔内においてこれら２つの水平に配置された構造ユニットと結合することができる。ヒンジカップ４ａを確実に固定するために、固定フランジ１１を貫通する開口部が設けられており、この開口部はネジが家具部材に固定するために貫通するように設けられている。
【００１９】
本発明は、図示された実施形態に限定されず、添付の特許請求の範囲に該当する全ての変形物および技術的な均等物を含む。本明細書で採用した位置関係（例えば上、下、水平等）は、ヒンジの取り付けの通常位置に関し、また、直接的に記載された図面に関し、新しい位置に位置変更するために適宜移動することができる。更に、２つの構造ユニットはヒンジカップ上において一体的に構成することができる。
【図１】
2011513605.tif 000003
【図２ａ】
2011513605.tif 000004
【図２ｂ】
2011513605.tif 000005
【図３ａ】
2011513605.tif 000006
【図３ｂ】
2011513605.tif 000007
【図４】
2011513605.tif 000008
【図５】
2011513605.tif 000009
【国際調査報告】
2011513605.tif 000010
2011513605.tif 000011
2011513605.tif 000012
2011513605.tif 000013